【手続補正書】
【提出日】平成20年6月20日(2008.6.20)
【手続補正１】
【補正対象書類名】特許請求の範囲
【補正対象項目名】全文
【補正方法】変更
【補正の内容】
【特許請求の範囲】
【請求項１】
外部装置と無線通信をする複数の通信部と、
画像を表示する表示部と、
前記通信部を介して画像データを前記外部装置から受信する画像データ受信処理部と、
前記通信部を介して付加データを前記外部装置から受信する付加データ受信処理部と、
前記画像データ受信処理部で受信した画像データに、前記付加データ受信処理部で受信した付加データを重ねて、前記表示部に表示する画像を作成する表示画像作成部と、
前記付加データ受信処理部が受信した付加データとともに、前記付加データを受信した通信部ごとに付与される表示属性とを組にして保持する受信付加データ保持部とを備え、
前記表示画像作成部は、前記画像データ受信部が受信する画像データに、前記付加データ受信処理部が受信した前記通信部ごとに予め定められた表示属性に基づく付加データを重ねて、前記表示部に表示する画像を作成することを特徴とする画像表示装置。
【請求項２】
前記表示属性は、付加データの表示色、付加データの表示位置、付加データの表示形状、付加データの表示タイミングの少なくとも１つを含むことを特徴とする請求項１に記載の画像表示装置。
【請求項３】
前記通信部を介してデータ要求を受信し、前記画像データを受信した通信部と前記データ要求を受信した通信部とが同じである場合には前記付加データを前記外部装置へ返信し、異なる場合には前記付加データと前記画像データ、若しくは前記表示画像作成部で作成した画像を前記外部装置へ返信することを特徴とする請求項１又は２に記載の画像表示装置。
【請求項４】
外部装置と無線通信をする通信部と、
画像を表示する表示部と、
前記通信部を介して画像データを前記外部装置から受信する画像データ受信処理部と、
前記通信部を介して付加データを前記外部装置から受信する付加データ受信処理部と、
前記画像データ受信処理部で受信した画像データに、前記付加データ受信処理部で受信した付加データを重ねて、前記表示部に表示する画像を作成する表示画像作成部と、
前記通信部を介してデータ要求を受信し、受信したデータ要求の送信元と前記画像データ受信処理部が受信した画像データの送信元とが一致すると判定した場合には前記付加データを返信し、一致しないと判定した場合には前記付加データと前記画像データ、若しくは前記表示画像作成部で作成した画像を返信する付加データ返信処理部と、
を備えることを特徴とする画像表示装置。
【請求項５】
前記付加データ返信処理部は、受信したデータ要求に含まれる識別子と前記画像データ受信処理部が受信した画像データに含まれる識別子とが一致した場合に、受信したデータ要求の送信元と前記画像データ受信処理部が受信した画像データの送信元とが一致すると判定することを特徴とする請求項４に記載の画像表示装置。
【請求項６】
外部装置と無線通信をする通信部と、
画像を表示する表示部と、
前記通信部を介して画像データを前記外部装置から受信する画像データ受信処理部と、
前記画像データ受信処理部で受信した画像データに基づき、前記表示部に表示する画像を作成する表示画像作成部と、
前記通信部を介して操作情報を前記外部装置から受信する操作情報受信処理部と、
前記通信部を介して所定の画像データの表示指示を前記外部装置から受信する表示指示受信処理部と、
前記操作情報受信処理部で受信した操作情報を保持する操作情報保持部とを備え、
前記表示画像作成部は、前記操作情報受信処理部が前記操作情報を受信した場合には、表示部に表示する前記画像を作成するとともに前記表示部が表示する画像データに対応付けて前記操作情報を前記操作情報保持部に保持し、前記表示指示受信処理部が所定の画像データの表示指示を受信した場合には、前記受信画像保持部に保持する前記所定の画像データに、前記操作情報に保持する操作情報のうち前記所定の画像データに対応づけて保持された前記操作情報に基づく操作を反映した画像を作成することを特徴とする画像表示装置。
【請求項７】
前記操作情報が、画像の回転の指示であることを特徴とする請求項６に記載の画像表示装置。
【請求項８】
前記操作情報が、画像の縮尺率変更の指示であることを特徴とする請求項６に記載の画像表示装置。
【請求項９】
前記無線通信は、赤外線通信であることを特徴とする請求項１から８までのいずれかの項に記載の画像表示装置。
【請求項１０】
不可視無線信号の受光面により外部装置と通信する通信部と、
前記通信部を介して画像データを前記外部装置から受信する画像データ受信処理部と、
前記通信部を介して付加データを前記外部装置から受信する付加データ受信処理部と、
前記画像データ受信処理部で受信した画像データに、前記付加データ受信処理部で受信した付加データを重ねた画像を作成する表示画像作成部と、
前記画像作成部が作成した画像を出力する出力端子と、
を備えることを特徴とする無線アダプタ。
【請求項１１】
前記通信部は異なる方向を向いた不可視無線信号の複数の受光面により構成され、
前記付加データ受信処理部が受信した付加データとともに、前記付加データを受信した受光面ごとに付与される表示属性とを組にして保持する受信付加データ保持部を備え、
前記表示画像作成部は、前記画像データ受信部が受信する画像データに、前記付加データ受信処理部が受信した前記受光面ごとに予め定められた表示属性に基づく付加データを重ねて、前記表示部に表示する画像を作成することを特徴とする請求項１０に記載の無線アダプタ。
【請求項１２】
外部装置と無線通信をする通信部と、
前記通信部を介して画像データを前記外部装置へ送信する画像データ送信部と、
前記通信部を介して付加データを前記外部装置へ送信する付加データ送信部と、
前記通信部を介してデータ要求を前記外部装置へ送信し、前記通信部を介して前記データ要求に基づく付加データを前記外部装置から受信する付加データ取得処理部と、
前記画像データ送信部で送信した画像データに、前記付加データ取得処理部で受信した付加データを重ねて画像を作成する表示画像作成部と、
前記表示画像作成部で作成した画像を表示する表示部と、
を備えることを特徴とする携帯端末。
【請求項１３】
前記画像データ送信部が送信する画像データと、前記付加データ取得処理部が送信するデータ要求とに、送信元である携帯端末の識別子を付加して前記外部装置へ送信することを特徴とする請求項１２に記載の携帯端末。
【請求項１４】
外部装置と無線通信をする複数の通信部と、画像を表示する表示部とを備える画像表示装置のコンピュータを、
前記通信部を介して画像データを前記外部装置から受信する画像データ受信処理手段と、
前記通信部を介して付加データを前記外部装置から受信する付加データ受信処理手段と、
前記画像データ受信処理手段で受信した画像データに、前記付加データ受信処理手段で受信した付加データを重ねて、前記表示部に表示する画像を作成する表示画像作成手段と、
前記付加データ受信処理手段が受信した付加データとともに、前記付加データを受信した通信部ごとに付与される表示属性とを組にして保持する受信付加データ保持手段として機能させ、
前記表示画像作成手段は、前記画像データ受信手段が受信する画像データに、前記付加データ受信処理手段が受信した前記通信部ごとに予め定められた表示属性に基づく付加データを重ねて、前記表示部に表示する画像を作成させることを特徴とするプログラム。
【請求項１５】
外部装置と無線通信をする通信部と、画像を表示する表示部とを備える画像表示装置のコンピュータを、
前記通信部を介して画像データを前記外部装置から受信する画像データ受信処理手段と、
前記通信部を介して付加データを前記外部装置から受信する付加データ受信処理手段と、
前記画像データ受信処理手段で受信した画像データに、前記付加データ受信処理手段で受信した付加データを重ねて、前記表示部に表示する画像を作成する表示画像作成手段と、
前記通信部を介してデータ要求を受信し、受信したデータ要求の送信元と前記画像データ受信処理手段が受信した画像データの送信元とが一致すると判定した場合には前記付加データを返信し、一致しないと判定した場合には前記付加データと前記画像データ、若しくは前記表示画像作成手段で作成した画像を返信する付加データ返信処理手段として機能させることを特徴とするプログラム。
【請求項１６】
外部装置と無線通信をする通信部と、画像を表示する表示部とを備える画像表示装置のコンピュータを、
前記通信部を介して画像データを前記外部装置から受信する画像データ受信処理手段と、
前記画像データ受信処理手段で受信した画像データに基づき、前記表示部に表示する画像を作成する表示画像作成手段と、
前記通信部を介して操作情報を前記外部装置から受信する操作情報受信処理手段と、
前記通信部を介して所定の画像データの表示指示を前記外部装置から受信する表示指示受信処理手段と、
前記操作情報受信処理手段で受信した操作情報を保持する操作情報保持手段として機能させ、
前記表示画像作成手段は、前記操作情報受信処理手段が前記操作情報を受信した場合には、表示部に表示する前記画像を作成するとともに前記表示部が表示する画像データに対応付けて前記操作情報を前記操作情報保持手段に保持し、前記表示指示受信処理手段が所定の画像データの表示指示を受信した場合には、前記受信画像保持手段に保持する前記所定の画像データに、前記操作情報に保持する操作情報のうち前記所定の画像データに対応づけて保持された前記操作情報に基づく操作を反映した画像を作成することを特徴とするプログラム。
【請求項１７】
不可視無線信号の受光面により外部装置と通信する通信部を備える無線アダプタのコンピュータを、
前記通信部を介して画像データを前記外部装置から受信する画像データ受信処理手段と、
前記通信部を介して付加データを前記外部装置から受信する付加データ受信処理手段と、
前記画像データ受信処理手段で受信した画像データに、前記付加データ受信処理手段で受信した付加データを重ねた画像を作成する表示画像作成手段として機能させ、
前記画像作成手段が作成した画像を出力端子から出力させることを特徴とするプログラム。
【請求項１８】
外部装置と無線通信をする通信部を備える携帯端末のコンピュータを、
前記通信部を介して画像データを前記外部装置へ送信する画像データ送信手段と、
前記通信部を介して付加データを前記外部装置へ送信する付加データ送信手段と、
前記通信部を介してデータ要求を前記外部装置へ送信し、前記通信部を介して前記データ要求に基づく付加データを前記外部装置から受信する付加データ取得処理手段と、
前記画像データ送信手段で送信した画像データに、前記付加データ取得処理手段で受信した付加データを重ねて画像を作成する表示画像作成手段として機能させ、
前記表示画像作成手段で作成した画像を表示部に表示させることを特徴とするプログラム。
【手続補正２】
【補正対象書類名】明細書
【補正対象項目名】０００９
【補正方法】変更
【補正の内容】
【０００９】
（１）  本発明の画像表示装置は、上記課題を解決するためになされたもので、外部装置と無線通信をする複数の通信部と、画像を表示する表示部と、前記通信部を介して画像データを前記外部装置から受信する画像データ受信処理部と、前記通信部を介して付加データを前記外部装置から受信する付加データ受信処理部と、前記画像データ受信処理部で受信した画像データに、前記付加データ受信処理部で受信した付加データを重ねて、前記表示部に表示する画像を作成する表示画像作成部と、前記付加データ受信処理部が受信した付加データとともに、前記付加データを受信した通信部ごとに付与される表示属性とを組にして保持する受信付加データ保持部とを備え、前記表示画像作成部は、前記画像データ受信部が受信する画像データに、前記付加データ受信処理部が受信した前記通信部ごとに予め定められた表示属性に基づく付加データを重ねて、前記表示部に表示する画像を作成する。
【手続補正３】
【補正対象書類名】明細書
【補正対象項目名】００１０
【補正方法】変更
【補正の内容】
【００１０】
（２）  また、本発明の画像表示装置の前記表示属性は、付加データの表示色、付加データの表示位置、付加データの表示形状、付加データの表示タイミングの少なくとも１つを含む。
【手続補正４】
【補正対象書類名】明細書
【補正対象項目名】００１１
【補正方法】変更
【補正の内容】
【００１１】
（３）  また、本発明の画像表示装置は、前記通信部を介してデータ要求を受信し、前記画像データを受信した通信部と前記データ要求を受信した通信部とが同じである場合には前記付加データを前記外部装置へ返信し、異なる場合には前記付加データと前記画像データ、若しくは前記表示画像作成部で作成した画像を前記外部装置へ返信する。
【手続補正５】
【補正対象書類名】明細書
【補正対象項目名】００１２
【補正方法】変更
【補正の内容】
【００１２】
（４）  また、本発明の画像表示装置は、外部装置と無線通信をする通信部と、画像を表示する表示部と、前記通信部を介して画像データを前記外部装置から受信する画像データ受信処理部と、前記通信部を介して付加データを前記外部装置から受信する付加データ受信処理部と、前記画像データ受信処理部で受信した画像データに、前記付加データ受信処理部で受信した付加データを重ねて、前記表示部に表示する画像を作成する表示画像作成部と、前記通信部を介してデータ要求を受信し、受信したデータ要求の送信元と前記画像データ受信処理部が受信した画像データの送信元とが一致すると判定した場合には前記付加データを返信し、一致しないと判定した場合には前記付加データと前記画像データ、若しくは前記表示画像作成部で作成した画像を返信する付加データ返信処理部とを備える。
【手続補正６】
【補正対象書類名】明細書
【補正対象項目名】００１３
【補正方法】変更
【補正の内容】
【００１３】
（５）  また、本発明の画像表示装置の前記付加データ返信処理部は、受信したデータ要求に含まれる識別子と前記画像データ受信処理部が受信した画像データに含まれる識別子とが一致した場合に、受信したデータ要求の送信元と前記画像データ受信処理部が受信した画像データの送信元とが一致すると判定する。
【手続補正７】
【補正対象書類名】明細書
【補正対象項目名】００１４
【補正方法】変更
【補正の内容】
【００１４】
（６）  また、本発明の画像表示装置は、外部装置と無線通信をする通信部と、画像を表示する表示部と、前記通信部を介して画像データを前記外部装置から受信する画像データ受信処理部と、前記画像データ受信処理部で受信した画像データに基づき、前記表示部に表示する画像を作成する表示画像作成部と、前記通信部を介して操作情報を前記外部装置から受信する操作情報受信処理部と、前記通信部を介して所定の画像データの表示指示を前記外部装置から受信する表示指示受信処理部と、前記操作情報受信処理部で受信した操作情報を保持する操作情報保持部とを備え、前記表示画像作成部は、前記操作情報受信処理部が前記操作情報を受信した場合には、表示部に表示する前記画像を作成するとともに前記表示部が表示する画像データに対応付けて前記操作情報を前記操作情報保持部に保持し、前記表示指示受信処理部が所定の画像データの表示指示を受信した場合には、前記受信画像保持部に保持する前記所定の画像データに、前記操作情報に保持する操作情報のうち前記所定の画像データに対応づけて保持された前記操作情報に基づく操作を反映した画像を作成する。
【手続補正８】
【補正対象書類名】明細書
【補正対象項目名】００１５
【補正方法】変更
【補正の内容】
【００１５】
（７）  また、本発明の画像表示装置は、前記操作情報が、画像の回転の指示である。
【手続補正９】
【補正対象書類名】明細書
【補正対象項目名】００１６
【補正方法】変更
【補正の内容】
【００１６】
（８）  また、本発明の画像表示装置は、前記操作情報が、画像の縮尺率変更の指示である。
【手続補正１０】
【補正対象書類名】明細書
【補正対象項目名】００１７
【補正方法】変更
【補正の内容】
【００１７】
（９）  また、本発明の画像表示装置の前記無線通信は、赤外線通信である。
【手続補正１１】
【補正対象書類名】明細書
【補正対象項目名】００１８
【補正方法】変更
【補正の内容】
【００１８】
（１０）  また、本発明の無線アダプタは、不可視無線信号の受光面により外部装置と通信する通信部と、前記通信部を介して画像データを前記外部装置から受信する画像データ受信処理部と、前記通信部を介して付加データを前記外部装置から受信する付加データ受信処理部と、前記画像データ受信処理部で受信した画像データに、前記付加データ受信処理部で受信した付加データを重ねた画像を作成する表示画像作成部と、前記画像作成部が作成した画像を出力する出力端子とを備える。
【手続補正１２】
【補正対象書類名】明細書
【補正対象項目名】００１９
【補正方法】変更
【補正の内容】
【００１９】
（１１）  また、本発明の無線アダプタの前記通信部は異なる方向を向いた不可視無線信号の複数の受光面により構成され、前記付加データ受信処理部が受信した付加データとともに、前記付加データを受信した受光面ごとに付与される表示属性とを組にして保持する受信付加データ保持部を備え、前記表示画像作成部は、前記画像データ受信部が受信する画像データに、前記付加データ受信処理部が受信した前記受光面ごとに予め定められた表示属性に基づく付加データを重ねて、前記表示部に表示する画像を作成する。
【手続補正１３】
【補正対象書類名】明細書
【補正対象項目名】００２０
【補正方法】変更
【補正の内容】
【００２０】
（１２）  また、本発明の携帯端末は、外部装置と無線通信をする通信部と、前記通信部を介して画像データを前記外部装置へ送信する画像データ送信部と、前記通信部を介して付加データを前記外部装置へ送信する付加データ送信部と、前記通信部を介してデータ要求を前記外部装置へ送信し、前記通信部を介して前記データ要求に基づく付加データを前記外部装置から受信する付加データ取得処理部と、前記画像データ送信部で送信した画像データに、前記付加データ取得処理部で受信した付加データを重ねて画像を作成する表示画像作成部と、前記表示画像作成部で作成した画像を表示する表示部とを備える。
【手続補正１４】
【補正対象書類名】明細書
【補正対象項目名】００２１
【補正方法】変更
【補正の内容】
【００２１】
（１３）  また、本発明の携帯端末は、前記画像データ送信部が送信する画像データと、前記付加データ取得処理部が送信するデータ要求とに、送信元である携帯端末の識別子を付加して前記外部装置へ送信する。
【手続補正１５】
【補正対象書類名】明細書
【補正対象項目名】００２２
【補正方法】変更
【補正の内容】
【００２２】
（１４）  また、本発明のプログラムは、外部装置と無線通信をする複数の通信部と、画像を表示する表示部とを備える画像表示装置のコンピュータを、前記通信部を介して画像データを前記外部装置から受信する画像データ受信処理手段と、前記通信部を介して付加データを前記外部装置から受信する付加データ受信処理手段と、前記画像データ受信処理手段で受信した画像データに、前記付加データ受信処理手段で受信した付加データを重ねて、前記表示部に表示する画像を作成する表示画像作成手段と、前記付加データ受信処理手段が受信した付加データとともに、前記付加データを受信した通信部ごとに付与される表示属性とを組にして保持する受信付加データ保持手段として機能させ、前記表示画像作成手段は、前記画像データ受信手段が受信する画像データに、前記付加データ受信処理手段が受信した前記通信部ごとに予め定められた表示属性に基づく付加データを重ねて、前記表示部に表示する画像を作成させる。
【手続補正１６】
【補正対象書類名】明細書
【補正対象項目名】００２３
【補正方法】変更
【補正の内容】
【００２３】
（１５）  また、本発明のプログラムは、外部装置と無線通信をする通信部と、画像を表示する表示部とを備える画像表示装置のコンピュータを、前記通信部を介して画像データを前記外部装置から受信する画像データ受信処理手段と、前記通信部を介して付加データを前記外部装置から受信する付加データ受信処理手段と、前記画像データ受信処理手段で受信した画像データに、前記付加データ受信処理手段で受信した付加データを重ねて、前記表示部に表示する画像を作成する表示画像作成手段と、前記通信部を介してデータ要求を受信し、受信したデータ要求の送信元と前記画像データ受信処理手段が受信した画像データの送信元とが一致すると判定した場合には前記付加データを返信し、一致しないと判定した場合には前記付加データと前記画像データ、若しくは前記表示画像作成手段で作成した画像を返信する付加データ返信処理手段として機能させる。
（１６）  また、本発明のプログラムは、外部装置と無線通信をする通信部と、画像を表示する表示部とを備える画像表示装置のコンピュータを、前記通信部を介して画像データを前記外部装置から受信する画像データ受信処理手段と、前記画像データ受信処理手段で受信した画像データに基づき、前記表示部に表示する画像を作成する表示画像作成手段と、前記通信部を介して操作情報を前記外部装置から受信する操作情報受信処理手段と、前記通信部を介して所定の画像データの表示指示を前記外部装置から受信する表示指示受信処理手段と、前記操作情報受信処理手段で受信した操作情報を保持する操作情報保持手段として機能させ、前記表示画像作成手段は、前記操作情報受信処理手段が前記操作情報を受信した場合には、表示部に表示する前記画像を作成するとともに前記表示部が表示する画像データに対応付けて前記操作情報を前記操作情報保持手段に保持し、前記表示指示受信処理手段が所定の画像データの表示指示を受信した場合には、前記受信画像保持手段に保持する前記所定の画像データに、前記操作情報に保持する操作情報のうち前記所定の画像データに対応づけて保持された前記操作情報に基づく操作を反映した画像を作成する。
【手続補正１７】
【補正対象書類名】明細書
【補正対象項目名】００２４
【補正方法】変更
【補正の内容】
【００２４】
（１７）  また、本発明のプログラムは、不可視無線信号の受光面により外部装置と通信する通信部を備える無線アダプタのコンピュータを、前記通信部を介して画像データを前記外部装置から受信する画像データ受信処理手段と、前記通信部を介して付加データを前記外部装置から受信する付加データ受信処理手段と、前記画像データ受信処理手段で受信した画像データに、前記付加データ受信処理手段で受信した付加データを重ねた画像を作成する表示画像作成手段として機能させ、前記画像作成手段が作成した画像を出力端子から出力させる。
（１８）  また、本発明のプログラムは、外部装置と無線通信をする通信部を備える携帯端末のコンピュータを、前記通信部を介して画像データを前記外部装置へ送信する画像データ送信手段と、前記通信部を介して付加データを前記外部装置へ送信する付加データ送信手段と、前記通信部を介してデータ要求を前記外部装置へ送信し、前記通信部を介して前記データ要求に基づく付加データを前記外部装置から受信する付加データ取得処理手段と、前記画像データ送信手段で送信した画像データに、前記付加データ取得処理手段で受信した付加データを重ねて画像を作成する表示画像作成手段として機能させ、前記表示画像作成手段で作成した画像を表示部に表示させる。